(57)【要約】【課題】  少数の操作子による簡便な操作で所望の位置にカーソルを移動させることができる電子装置を提供する。【解決手段】  表示領域内で情報画面を表示する表示部、および上記表示領域内の入力位置を操作に応じた方向に移動させる、任意方向への操作が可能なポインティングデバイスと、その表示領域を分割した複数枠のうちから１つ選択される選択枠を、複数の所定方向のうち操作に応じた方向に変更して入力位置をその変更された選択枠内に移動させる、それら複数の所定方向それぞれが割り当てられた複数の方向キーとが設置された操作部を備えており、方向キーで選択枠が移動されることによって入力位置が大まかに移動し、ポインティングデバイスが操作されることによって入力位置が精密に移動する。【選択図】        図５
2006155205.tif 000002
【特許請求の範囲】
【請求項１】
情報画面を表示し、表示した情報画面上での入力を受ける電子装置において、
表示領域内で情報画面を表示する表示部、および
前記表示領域内の入力位置を操作に応じた方向に移動させる、任意方向への操作が可能なポインティングデバイスと、前記表示領域を分割した複数枠のうちから１つ選択される選択枠を、複数の所定方向のうち操作に応じた方向に変更して前記入力位置をその変更された選択枠内に移動させる、該複数の所定方向それぞれが割り当てられた複数の方向キーとが設置された操作部を備えたことを特徴とする電子装置。
【請求項２】
前記複数の方向キーは、前記ポインティングデバイスを取り囲むように設置されたものであることを特徴とする請求項１記載の電子装置。
【請求項３】
前記操作部が、前記表示領域を分割した複数枠を操作に応じた複数枠に変更する枠変更操作子も設置されたものであることを特徴とする請求項１記載の電子装置。
【請求項４】
情報画面を表示し、表示した情報画面上での入力を受ける電子装置における入力制御を担う入力制御装置であって、
前記電子装置は、表示領域内で情報画面を表示する表示部、および任意方向への操作が可能なポインティングデバイスと、複数の所定方向それぞれが割り当てられた複数の方向キーとが設置された操作部を備えたものであり、
前記表示領域内の入力位置を前記ポインティングデバイスの操作に応じた方向に移動させる入力位置制御部と、
前記表示領域を分割した複数枠のうちから１つ選択される選択枠を、前記複数の所定方向のうち前記方向キーの操作に応じた方向に変更して前記入力位置をその変更された選択枠内に移動させる選択枠制御部とを備えたことを特徴とする入力制御装置。
【請求項５】
情報画面を表示し、表示した情報画面上での入力を受ける電子装置で実行される入力制御プログラムであって、
前記電子装置は、表示領域内で情報画面を表示する表示部、および任意方向への操作が可能なポインティングデバイスと、複数の所定方向それぞれが割り当てられた複数の方向キーとが設置された操作部を備えたものであり、
前記電子装置上で、
前記表示領域内の入力位置を前記ポインティングデバイスの操作に応じた方向に移動させる入力位置制御部と、
前記表示領域を分割した複数枠のうちから１つ選択される選択枠を、前記複数の所定方向のうち前記方向キーの操作に応じた方向に変更して前記入力位置をその変更された選択枠内に移動させる選択枠制御部とを構築することを特徴とする入力制御プログラム。
【発明の詳細な説明】
【技術分野】
【０００１】
本発明は、情報画面を表示し、その情報画面上で命令や情報の入力を受ける電子装置、その電子装置における入力制御を担う入力制御装置、およびその電子装置で実行される入力制御プログラムに関する。
【背景技術】
【０００２】
従来より、携帯情報端末や携帯電話などといったような、情報画面を表示するディスプレイと、その情報画面上で情報や命令の入力を行う入力手段とを備えた電子装置が知られている。以下ではこのような電子装置を情報表示入力装置と総称する。このような情報表示入力装置では、情報画面上での入力位置を示すカーソルもディスプレイに表示され、この情報表示入力装置には、そのカーソルを操作で動かすための操作手段や入力制御装置も備えられている。
【０００３】
このような操作手段としては、例えば、情報画面上に固定された複数の入力位置の相互間でカーソルを移動させる十字キーが知られている。また、任意方向への操作が可能で、操作に応じた方向にカーソルを移動させるポインティングデバイスや、情報画面を触れる操作でその触れた位置にカーソルを移動させることができるタッチパネルなども知られている。十字キーやポインティングデバイスは主に携帯電話に設けられ、タッチパネルは主に携帯情報端末に設けられている。
【０００４】
十字キーは固定された複数の入力位置へ段階的にカーソルを移動させるのには有効な手段であるが、情報画面の構成を、十字キーの移動方法に合わせた構成とする必要がある。
【０００５】
これに対してポインティングデバイスは情報画面の構成の自由度が高いが、大型化・高精細化が進む現在のディスプレイ上では意図した位置にカーソルを合わせづらいという問題があり、画面構成の自由度と操作の容易性とを両立できていない。
【０００６】
また、タッチパネルについては、意図した位置にカーソルを移動させるのには非常に有効であるが、ディスプレイ上にフィルム状のセンサを搭載するために視認性が悪化するという問題がある。さらに、片手では使用できないという問題や、高精細化が進むディスプレイにおいては、目的の位置が非常に小領域であるため、その特定の小領域を確実に選択することが困難となるという問題がある。
【０００７】
このような現状に対して、ディスプレイの表示領域を分割した複数のグリッドをテンキーの各キー位置に対応させ、テンキーの押下によって対応するグリッドを選択して、そのグリッド内にカーソルを移動させ、その後は、上述したポインティングデバイスなどを用いてカーソルを移動させるというカーソル移動の方法が提案されている（例えば、特許文献１、特許文献２、および特許文献３参照。）。
【特許文献１】特開昭６３−３１１５１９号公報
【特許文献２】特開平２−２０４７８７号公報
【特許文献３】特開２００２−１４７７３号公報
【発明の開示】
【発明が解決しようとする課題】
【０００８】
しかし、上記の各特許文献に記載された技術では、ハードウェアとしてテンキーが必ず必要であり、携帯情報端末のように通常はテンキーを備えていない装置の場合にはテンキーを設置する場所を確保することが難しいという問題がある。また、携帯電話においては、ダイヤル操作などの便宜のために、十字キーやポインティングデバイスは、テンキーとはある程度離れて配置される場合が多く、その両方を片手で使用するには指を大きく動かす必要があり操作性が悪いという問題もある。
【０００９】
本発明は上記事情に鑑み、少数の操作子による簡易な操作で入力位置が自在に移動される電子装置、そのような入力を可能にする入力制御装置および入力制御プログラムを提供することを目的とする。
【課題を解決するための手段】
【００１０】
上記目的を達成する本発明の電子装置は、
情報画面を表示し、表示した情報画面上での入力を受ける電子装置において、
表示領域内で情報画面を表示する表示部、および
上記表示領域内の入力位置を操作に応じた方向に移動させる、任意方向への操作が可能なポインティングデバイスと、その表示領域を分割した複数枠のうちから１つ選択される選択枠を、複数の所定方向のうち操作に応じた方向に変更して入力位置をその変更された選択枠内に移動させる、それら複数の所定方向それぞれが割り当てられた複数の方向キーとが設置された操作部を備えたことを特徴とする。
【００１１】
本発明の電子装置によれば、例えば十字キーなどといった少数の方向キーの操作で選択枠が移動されて入力位置の大まかな移動が実現され、通常は１つ設けられるポインティングデバイスの操作によって入力位置の詳細な移動が実現されるので、入力位置を自在に移動させることができる。また、これら方向キーやポインティングデバイスといった操作子は片手で容易に操作することができる。
【００１２】
本発明の電子装置は、上記複数の方向キーが、ポインティングデバイスを取り囲むように設けられたものであることが好適である。
【００１３】
このような好適な電子装置によれば、ポインティングデバイスと複数の方向キーがコンパクトに配されているので、操作がより一層簡便となる。
【００１４】
また、本発明の電子装置は、上記操作部が、上記表示領域を分割した複数枠を操作に応じた複数枠に変更する枠変更操作子も設置されたものであることが好ましい。
【００１５】
このような好ましい電子装置によれば、枠変更操作子によって上記複数枠の形態が変更されるので、入力位置の移動操作に適した形態を選択することができる。
【００１６】
上記目的を達成する本発明の入力制御装置は、
情報画面を表示し、表示した情報画面上での入力を受ける電子装置における入力制御を担う入力制御装置であって、
上記電子装置は、表示領域内で情報画面を表示する表示部、および任意方向への操作が可能なポインティングデバイスと、複数の所定方向それぞれが割り当てられた複数の方向キーとが設置された操作部を備えたものであり、
上記表示領域内の入力位置を上記ポインティングデバイスの操作に応じた方向に移動させる入力位置制御部と、
上記表示領域を分割した複数枠のうちから１つ選択される選択枠を、上記複数の所定方向のうち上記方向キーの操作に応じた方向に変更して上記入力位置をその変更された選択枠内に移動させる選択枠制御部とを備えたことを特徴とする。
【００１７】
本発明の入力制御装置によれば、上述したような簡易な操作による自在な入力を実現することができる。
【００１８】
上記目的を達成する本発明の入力制御プログラムは、
情報画面を表示し、表示した情報画面上での入力を受ける電子装置で実行される入力制御プログラムであって、
上記電子装置は、表示領域内で情報画面を表示する表示部、および任意方向への操作が可能なポインティングデバイスと、複数の所定方向それぞれが割り当てられた複数の方向キーとが設置された操作部を備えたものであり、
上記電子装置上で、
上記表示領域内の入力位置を上記ポインティングデバイスの操作に応じた方向に移動させる入力位置制御部と、
上記表示領域を分割した複数枠のうちから１つ選択される選択枠を、上記複数の所定方向のうち上記方向キーの操作に応じた方向に変更して上記入力位置をその変更された選択枠内に移動させる選択枠制御部とを構築することを特徴とする。
【００１９】
本発明の入力制御装置によれば、本発明の入力制御装置の構成要素を実現することができる。
【００２０】
なお、本発明にいう入力制御装置および入力制御プログラムについては、ここではその基本形態のみを示すのにとどめるが、これは単に重複を避けるためであり、本発明にいう入力制御装置および入力制御プログラムには、上記の基本形態のみではなく、前述した電子装置の各形態に対応する各種の形態が含まれる。
【発明の効果】
【００２１】
以上説明したように、本発明の電子装置、入力制御装置、および入力制御プログラムによれば、少数の操作子による簡便な操作で所望の位置にカーソルを移動させることができる。
【発明を実施するための最良の形態】
【００２２】
以下図面を参照して本発明の実施の形態を説明する。
【００２３】
図１は、本発明の電子装置の一実施形態に相当する携帯情報端末の外観図であり、図２は、携帯情報端末のハードウェア構成図である。
【００２４】
図１に示すように、この携帯情報端末１００には、外観上、情報画面とカーソルが表示されるＬＣＤ（Ｌｉｑｕｉｄ  Ｃｒｙｓｔａｌ  Ｄｉｓｐｌａｙ）１０１と、上下左右の４方向それぞれに対応した押下操作が可能な十字キー１０２と、上下左右面内の任意方向にスライド操作が可能なポインティングデバイス１０３と、動作モードを、後述するグリッド枠が表示されるグリッドモードに切り換えるグリッド枠表示キー１０４と、その他のキー１０５が備えられている。十字キー１０２はポインティングデバイス１０３を取り囲むように設置されており、ＬＣＤ１０１の表示面上にはタッチパネルが設けられている。
【００２５】
また、図２に示すように、携帯情報端末１００の内部にはＣＰＵ１０７が組み込まれており、このＣＰＵ１０７には、上述したＬＣＤ１０１やタッチパネル１０１ａが接続され、さらに、上述した十字キー１０２やポインティングデバイス１０３を有するキーボード１０６も接続されている。ＬＣＤ１０１は、本発明にいう表示部の一例に相当し、キーボード１０６は、本発明にいう操作部の一例に相当し、十字キー１０２は、本発明にいう方向キーの一例に相当し、ポインティングデバイス１０３は、本発明にいうポインティングデバイスの一例に相当する。
【００２６】
また、携帯情報端末１００の内部には、ＣＰＵ１０７で用いられるプログラムやデータを記憶するメモリ１０８、ＬＡＮ（Ｌｏｃａｌ  Ａｒｅａ  Ｎｅｔｗｏｒｋ）に接続するための無線ＬＡＮデバイス１０９、他の携帯情報端末やパーソナルコンピュータなどに接続するためのその他の通信デバイス１１０も備えられており、これらの要素とＣＰＵ１０７はシステムバス１１１によって相互に接続されている。
【００２７】
このような携帯情報端末１００は、ＬＣＤ１０１に情報画面を表示すると共に、その情報画面上で情報や命令の入力を受ける装置であり、情報画面として映像画面や、メニュー画面や、ウィンドウや、アイコンの配置画面などを表示する。ＬＣＤ１０１に表示されるカーソルは、情報や命令の入力位置を表すものであるが、以下の説明では、入力位置とカーソルとを特に区別せずに説明する場合がある。
【００２８】
ポインティングデバイス１０３は、ＬＣＤ１０１に表示されるカーソルを移動させるために専ら用いられる操作子である。十字キー１０２は、ＬＣＤ１０１に表示される情報画面上でのメニュー選択などに用いられる操作子であると共に、後述するグリッドモードで選択グリッド枠を移動させる操作子としても用いられる。その他のキー１０５は、メニュー決定やアイコンのクリックなどに用いられ、ＬＣＤ１０１上のタッチパネルは、カーソル移動、メニューの選択決定、アイコンのクリックなどといった種々の操作に用いられる。
【００２９】
本実施形態の携帯情報端末１００は、上述したようにタッチパネルも備えているが、タッチパネルの操作には通常は両手が必要であるし、高精細なＬＣＤ１０１に表示されるウィンドウのボタンなどは非常に小さいので、そのように小さいボタン上にカーソルを移動させる操作は難しい場合がある。そこで、本実施形態の携帯情報端末１００では、十字キー１０２とポインティングデバイス１０３とを用いた片手の簡単な操作でカーソルを自在に移動させることができるように、以下説明するような工夫が施されている。
【００３０】
携帯情報端末１００のメモリ１０８には、本発明の入力制御プログラムの一実施形態が記憶されており、この入力制御プログラムがＣＰＵ１０７で実行されることによって、ＣＰＵ１０７を搭載したマザーボードが本発明の入力制御装置の一実施形態として機能し、携帯情報端末１００は、本発明の電子装置の一実施形態として機能する。
【００３１】
図３は、入力制御プログラムを示す図である。
【００３２】
この図に示す入力制御プログラム２００は、キー監視部２１０と、カーソル移動情報取得部２２０と、グリッド枠移動情報取得部２３０と、通常画面表示部２４０と、グリッド枠表示部２５０と、カーソル制御部２６０と、グリッド枠情報取得／保存部２７０とで構成されている。この入力制御プログラム２００の各構成要素についての説明は後述する。
【００３３】
図４は、携帯情報端末の機能ブロック図である。
【００３４】
この機能ブロック図には、カーソル制御に関連する機能要素が表されている。但し、タッチパネルの関連部分は省略されている。
【００３５】
携帯情報端末１００は、キーボード１０６に設置されたグリッド枠表示キーや十字キーやポインティングデバイスの操作を監視するキー監視部１１２と、キー監視部１１２からカーソルの移動情報を取得するカーソル移動情報取得部１１３と、キー監視部１１２からグリッド枠の移動情報を取得するグリッド枠移動情報取得部１１４と、情報画面やカーソルの表示を制御する通常画面表示部１１５と、グリッド枠の表示を制御するグリッド枠表示部１１６と、カーソルを入力位置として管理するカーソル制御部１１７と、ＬＣＤ１０１に表示される画面を表した表示データを保持する表示データバッファ１１８と、メモリ１０８にアクセスしてグリッド枠表示のための基本情報の取得および保存を行うグリッド枠情報取得／保存部１１９を備えている。
【００３６】
これらの機能要素のうち、キー監視部１１２、カーソル移動情報取得部１１３、グリッド枠移動情報取得部１１４、通常画面表示部１１５、グリッド枠表示部１１６、カーソル制御部１１７、およびグリッド枠情報取得／保存部１１９は、図３に示す入力制御プログラム２００が図２に示すＣＰＵ１０７上で実行されることによって、それぞれ、図３に示すキー監視部２１０、カーソル移動情報取得部２２０、グリッド枠移動情報取得部２３０、通常画面表示部２４０、グリッド枠表示部２５０、カーソル制御部２６０、およびグリッド枠情報取得／保存部２７０が構築したものである。つまり、図３に示す各構成要素と図４に示す各機能要素は互いに対応している。
【００３７】
また、図４に示す機能要素のうち、キー監視部１１２、カーソル移動情報取得部１１３、通常画面表示部１１５、およびカーソル制御部１１７によって本発明にいう入力位置制御部の一例が構成されており、キー監視部１１２、グリッド枠移動情報取得部１１４、グリッド枠表示部１１６、カーソル制御部１１７、およびグリッド枠情報取得／保存部１１９によって本発明にいう選択枠制御部の一例が構成されており、キー監視部１１２およびグリッド枠表示部１１６によって本発明にいう枠変更制御部の一例が構成されている。
【００３８】
図４に示すこれらの機能要素によって実現されるカーソル移動の操作は、通常モードの操作とグリッドモードの操作とに分かれる。
【００３９】
通常モードでは、ポインティングデバイスの操作に応じて、カーソル移動情報取得部１１３がキー監視部１１２からカーソルの移動情報を取得して通常画面表示部１１５とカーソル制御部１１７に送り、このカーソルの移動情報に基づいてカーソルおよび入力位置が移動される。
【００４０】
グリッドモードは、キーボード１０６に設置されたグリッド枠表示キーが押下されることで開始され、このグリッドモードでは、十字キーの操作に応じて、グリッド枠移動情報取得部１１４がキー監視部１１２からグリッドの移動情報を取得して通常画面表示部１１５とグリッド枠表示部１１６とカーソル制御部１１７に送り、このグリッドの移動情報に基づいて、グリッド枠、カーソル、および入力位置が移動される。
【００４１】
以下、カーソル移動の操作について、ＬＣＤ上の表示例とフローチャートとを参照しながら説明する。また、以下の説明では、図４の機能ブロック図に示す各要素については、図番を特に断ることなく符号のみで参照する。
【００４２】
図５は、ＬＣＤ上の表示例を表す図である。
【００４３】
ＬＣＤの表示領域１２０には、本発明にいう情報画面として、アイコン１２１が並んだデスクトップ画面や、ウィンドウ１２２などが表示される。また、この表示領域１２０には、情報画面上での入力位置を示す矢印状のカーソル１２５も表示される。カーソル１２５は、図１に示すポインティングデバイス１０３の操作に応じて移動し、アイコン１２１やウィンドウ１２２のボタン上にカーソル１２５がある時にクリック操作が行われると、そのカーソル１２５が指し示していたボタンやアイコン１２１に応じた命令などが実行される。
【００４４】
ここで、図１に示すグリッド枠表示キー１０４が押下されると、表示領域１２０には、表示領域１２０を分割するグリッド枠１２３が表示されて、携帯情報端末の動作はグリッドモードに移行する。
【００４５】
図６は、グリッドモードにおける携帯情報端末の動作を表すフローチャートである。
【００４６】
グリッドモードに移行する際には、キー監視部１１２がグリッド枠表示キーの押下を監視しており（ステップＳ１）、グリッド枠表示キーが押下されると（ステップＳ２；押下された）、グリッド枠情報取得／保存部１１９が、グリッド枠の枠数などといった基本情報をメモリ１０８から取得して（ステップＳ３）グリッド枠表示部１１６に渡す。グリッド枠表示部１１６は、その基本情報に基づいて、図５に示すように表示領域１２０にグリッド枠１２３を表示するための表示データを表示データバッファ１１８に入力し、ＬＣＤ１０１上にグリッド枠が表示される（ステップＳ４）。また、グリッド枠表示部１１６は、この時点でカーソル１２５が示している入力位置を含んでいるグリッド枠を、図５に示すように選択グリッド枠１２４として表示するための表示データも表示データバッファ１１８に入力し、ＬＣＤ１０１上にはそのような選択グリッド枠１２４も表示される。
【００４７】
次に、キー監視部１１２がキーボード１０６を監視し、どのキーが操作されたかが判定される（ステップＳ５）。ここで、図１に示す十字キー１０２が押下された場合にはステップＳ６に進み、グリッド枠移動情報取得部１１４がキー監視部１１２から、押下された十字キー１０２の方向をグリッド枠の移動方向を表す情報として入手し、その情報を通常画面表示部１１５とグリッド枠表示部１１６とカーソル制御部１１７に渡す。グリッド枠表示部１１６は、その情報が表す移動方向に、例えば図５の矢印Ａが示すように選択グリッド枠１２４を移動させる表示データを表示データバッファ１１８に入力する。また、通常画面表示部１１５は、カーソル１２５を選択グリッド枠１２４とともに移動させる表示データを表示データバッファ１１８に入力し、カーソル制御部１１７は、そのように移動したカーソル位置を入力位置として管理する。ステップＳ６でこれらの処理が終了するとステップＳ５に戻ってキー監視部１１２によるキーボード１０６の監視が継続される。
【００４８】
ここで、図１に示すグリッド枠表示キー１０４が押下された場合にはステップＳ７に進み、グリッド枠表示キー１０４の押下が長押しか否かが判定され、短時間の押下である場合には、グリッド枠表示部１１６は、上述した基本情報におけるグリッド枠の枠数を縦横共に１段階増やし、そのように増えたグリッド枠で表示をやり直すための表示データを表示データバッファ１１８に入力する（ステップＳ８）。一方、ステップＳ７で長押しであると判定された場合には、グリッド枠表示部１１６は、図示が省略された設定画面をＬＣＤ上に表示させ、その設定画面を介してユーザに、縦横それぞれについて任意の枠数を設定させる。そして、その設定画面で設定された枠数に従って上記基本情報を更新し、その枠数のグリッド枠を表示するための表示データを表示データバッファ１１８に入力する（ステップＳ９）。これらのグリッド枠の更新が終了すると、再びステップＳ５に戻る。
【００４９】
このように、ユーザはグリッドモードでグリッド枠表示キーと十字キーとを操作することによって、所望の枠数で表示領域を分割したグリッド枠を設定し、所望の位置に選択グリッド枠を移動させることができ、カーソルのグリッド単位での移動が実現される。
【００５０】
ユーザは、選択グリッド枠が所望の位置に到達すると、図１に示すポインティングデバイスを操作することで通常モードに戻すことができる。即ち、図６のステップＳ５でポインティングデバイスが操作されたと判定されると、グリッド枠情報取得／保存部１１９が、そのときのグリッド枠の基本情報をメモリ１０８に保存し（ステップＳ１０）、グリッド枠表示部１１６が、グリッド枠を消去するための表示データを表示データバッファ１１８に入力する（ステップＳ１１）。そして、携帯情報端末のモードが通常モードに移行する（ステップＳ１２）。
【００５１】
携帯情報端末のモードが通常モードに移行した後は、ユーザは、ポインティングデバイスを操作することにより、図５の矢印Ｂが示すように、所望のボタンなどの所までカーソル１２５を移動させてクリックなどを行う。このときの移動範囲は、グリッド枠の１つ分程度かそれ以下という狭い範囲であり、カーソル１２５はポインティングデバイスの操作に応じて十分にゆっくりかつ精密に移動する。このため、ユーザは、クリックしたいボタンなどの所へ確実にカーソル１２５を移動させることができる。
【００５２】
このように、本実施形態の携帯情報端末では、グリッドモードによる大まかな移動と、通常モードによる精密な移動とによって素早く正確に所望の位置までカーソルが移動されることとなる。また、これらのモードにおける十字キーやポインティングデバイスの操作は片手で容易に行うことができる操作であり、本実施形態の携帯情報端末は操作性に優れている。
【００５３】
なお、上記説明では、本発明の電子装置の一例として携帯情報端末が示されているが、本発明は携帯電話に応用されてもよい。
【００５４】
また、上記説明では、本発明の電子装置の一例として、タッチパネルを備えた装置が示されているが、本発明の電子装置においてタッチパネルは必須ではない。
【００５５】
また、上記説明では、本発明にいう方向キーの一例として十字キーが示されているが、本発明にいう方向キーは、他の種類の方向キーであってもよい。
【００５６】
また、上記説明では、本発明にいうポインティングデバイスの一例として、上下左右面内にスライド操作するデバイスが示されているが、本発明にいうポインティングデバイスは、キーボード上に設置されたボールを回転操作するものであってもよく、あるいはキーボード上に設置されたスティックを傾けるように操作するものであってもよく、あるいはキーボード上に設置されたパッドの表面を擦るように操作するものであってもよい。
【００５７】
以下、本発明の種々の形態について付記する。
【００５８】
（付記１）
情報画面を表示し、表示した情報画面上での入力を受ける電子装置において、
表示領域内で情報画面を表示する表示部、および
前記表示領域内の入力位置を操作に応じた方向に移動させる、任意方向への操作が可能なポインティングデバイスと、前記表示領域を分割した複数枠のうちから１つ選択される選択枠を、複数の所定方向のうち操作に応じた方向に変更して前記入力位置をその変更された選択枠内に移動させる、該複数の所定方向それぞれが割り当てられた複数の方向キーとが設置された操作部を備えたことを特徴とする電子装置。
【００５９】
（付記２）
前記複数の方向キーは、前記ポインティングデバイスを取り囲むように設置されたものであることを特徴とする付記１記載の電子装置。
【００６０】
（付記３）
前記操作部が、前記表示領域を分割した複数枠を操作に応じた複数枠に変更する枠変更操作子も設置されたものであることを特徴とする付記１記載の電子装置。
【００６１】
（付記４）
情報画面を表示し、表示した情報画面上での入力を受ける電子装置における入力制御を担う入力制御装置であって、
前記電子装置は、表示領域内で情報画面を表示する表示部、および任意方向への操作が可能なポインティングデバイスと、複数の所定方向それぞれが割り当てられた複数の方向キーとが設置された操作部を備えたものであり、
前記表示領域内の入力位置を前記ポインティングデバイスの操作に応じた方向に移動させる入力位置制御部と、
前記表示領域を分割した複数枠のうちから１つ選択される選択枠を、前記複数の所定方向のうち前記方向キーの操作に応じた方向に変更して前記入力位置をその変更された選択枠内に移動させる選択枠制御部とを備えたことを特徴とする入力制御装置。
【００６２】
（付記５）
前記複数の方向キーは、前記ポインティングデバイスを取り囲むように設置されたものであることを特徴とする付記４記載の入力制御装置。
【００６３】
（付記６）
前記操作部が、枠変更操作子も設置されたものであり、
前記表示領域を分割した複数枠を前記枠変更操作子の操作に応じた複数枠に変更する
る枠変更制御部を備えたことを特徴とする付記４記載の入力制御装置。
【００６４】
（付記７）
情報画面を表示し、表示した情報画面上での入力を受ける電子装置で実行される入力制御プログラムであって、
前記電子装置は、表示領域内で情報画面を表示する表示部、および任意方向への操作が可能なポインティングデバイスと、複数の所定方向それぞれが割り当てられた複数の方向キーとが設置された操作部を備えたものであり、
前記電子装置上で、
前記表示領域内の入力位置を前記ポインティングデバイスの操作に応じた方向に移動させる入力位置制御部と、
前記表示領域を分割した複数枠のうちから１つ選択される選択枠を、前記複数の所定方向のうち前記方向キーの操作に応じた方向に変更して前記入力位置をその変更された選択枠内に移動させる選択枠制御部とを構築することを特徴とする入力制御プログラム。
【００６５】
（付記８）
前記複数の方向キーは、前記ポインティングデバイスを取り囲むように設置されたものであることを特徴とする付記７記載の入力制御プログラム。
【００６６】
（付記９）
前記操作部が、枠変更操作子も設置されたものであり、
前記表示領域を分割した複数枠を前記枠変更操作子の操作に応じた複数枠に変更する
る枠変更制御部を更に構築することを特徴とする付記７記載の入力制御プログラム。
【００６７】
（付記１０）
情報画面を表示し、表示した情報画面上での入力を受ける電子装置における入力制御方法であって、
前記電子装置は、表示領域内で情報画面を表示する表示部、および任意方向への操作が可能なポインティングデバイスと、複数の所定方向それぞれが割り当てられた複数の方向キーとが設置された操作部を備えたものであり、
前記表示領域内の入力位置を前記ポインティングデバイスの操作に応じた方向に移動させる入力位置制御過程と、
前記表示領域を分割した複数枠のうちから１つ選択される選択枠を、前記複数の所定方向のうち前記方向キーの操作に応じた方向に変更して前記入力位置をその変更された選択枠内に移動させる選択枠制御過程とを有することを特徴とする入力制御方法。
【００６８】
（付記１１）
前記複数の方向キーは、前記ポインティングデバイスを取り囲むように設置されたものであることを特徴とする付記１０記載の入力制御方法。
【００６９】
（付記１２）
前記操作部が、枠変更操作子も設置されたものであり、
前記表示領域を分割した複数枠を前記枠変更操作子の操作に応じた複数枠に変更する
る枠変更制御過程を更に有することを特徴とする付記１０記載の入力制御方法。
【図面の簡単な説明】
【００７０】
【図１】本発明の電子装置の一実施形態に相当する携帯情報端末の外観図である。
【図２】携帯情報端末のハードウェア構成図である。
【図３】入力制御プログラムを示す図である。
【図４】携帯情報端末の機能部ロック図である。
【図５】ＬＣＤ上の表示例を表す図である。
【図６】グリッドモードにおける携帯情報端末の動作を表すフローチャートである。
【符号の説明】
【００７１】
１００    携帯情報端末
１０１    ＬＣＤ
１０１ａ    タッチパネル
１０２    十字キー
１０３    ポインティングデバイス
１０４    グリッド枠表示キー
１０５    その他のキー
１０６    キーボード
１０７    ＣＰＵ
１０８    メモリ
１０９    無線ＬＡＮデバイス
１１０    その他の通信デバイス
１１１    システムバス
１１２    キー監視部
１１３    カーソル移動情報取得部
１１４    グリッド枠移動情報取得部
１１５    通常画面表示部
１１６    グリッド枠表示部
１１７    カーソル制御部
１１８    表示データバッファ
１１９    グリッド枠情報取得／保存部
１２０    表示領域
１２１    アイコン
１２２    ウィンドウ
１２３    グリッド枠
１２４    選択グリッド枠
１２５    カーソル
２００    入力制御プログラム
２１０    キー監視部
２２０    カーソル移動情報取得部
２３０    グリッド枠移動情報取得部
２４０    通常画面表示部
２５０    グリッド枠表示部
２６０    カーソル制御部
２７０    グリッド枠情報取得／保存部
【図１】
2006155205.tif 000003
【図２】
2006155205.tif 000004
【図３】
2006155205.tif 000005
【図４】
2006155205.tif 000006
【図５】
2006155205.tif 000007
【図６】
2006155205.tif 000008